(57)【要約】【課題】  コイルスプリングの座巻き部へ磁束が流れることを抑制することができる電磁弁を提供すること。【解決手段】  通電時に磁界を形成するコイルと、前記コイルを収納する磁性材料からなるヨークと、前記ヨークの内周側に配置された磁性体であるアーマチュアと、前記アーマチュアに対し所定のギャップを開けて配置され、前記コイルの通電時に前記アーマチュアに吸引される磁性体であるプランジャと、前記アーマチュアと前記プランジャとの間に配置され、前記プランジャを閉弁方向に付勢する磁性体であるコイルスプリングと、を備えた電磁弁において、前記プランジャおよびアーマチュアの前記コイルスプリングの当接部にコイルスプリングの端部が収容される凹部を形成し、前記凹部の深さを前記コイルスプリングの座巻き部より深くした。【選択図】      図２
2008223921.tif 000002
【特許請求の範囲】
【請求項１】
通電時に磁界を形成するコイルと、
前記コイルを収納する磁性材料からなるヨークと、
前記ヨークの内周側に配置された磁性体であるアーマチュアと、
前記アーマチュアに対し所定のギャップを開けて配置され、前記コイルの通電時に前記アーマチュアに吸引される磁性体であるプランジャと、
前記アーマチュアと前記プランジャとの間に配置され、前記プランジャを閉弁方向に付勢する磁性体であるコイルスプリングと、
を備えた電磁弁において、
前記プランジャおよびアーマチュアの前記コイルスプリングの当接部にコイルスプリングの端部が収容される凹部を形成し、前記凹部の深さを前記コイルスプリングの座巻き部より深くしたことを特徴とする電磁弁。
【請求項２】
通電時に磁界を形成するコイルと、
前記コイルを収納する磁性材料性のヨークと、
前記ヨークの内周側に配置された磁性体のアーマチュアと、
前記アーマチュアに対し所定のギャップを開けて配置し、前記コイルの通電時に前記アーマチュアに吸引される磁性体のプランジャと、
前記アーマチュアと前記プランジャとの間に配置し、前記プランジャを閉弁方向に付勢する磁性体のコイルスプリングと、
を備えた電磁弁において、
前記ギャップには前記コイルスプリングの座巻き部を除いた一般部のみが臨んでいることを特徴とする電磁弁。
【発明の詳細な説明】
【技術分野】
【０００１】
本発明は、ブレーキ装置等に用いられる電磁弁に関する。
【背景技術】
【０００２】
この種の技術としては、特許文献１に記載の技術が開示されている。この公報では、ストッパとプランジャとの間には閉弁する方向にプランジャを付勢するスプリングが設けられている。また、ストッパとプランジャとの間にはコイルへの通電時に開弁する方向へのプランジャの移動を許容するギャップが設けられている。
【特許文献１】特開２００１−６５７２８号公報
【発明の開示】
【発明が解決しようとする課題】
【０００３】
スプリング（コイルスプリング）の端部にはコイルスプリングの座りをよくするため、コイルスプリングの他の部分よりも巻き線が密に巻かれた座巻き部が設けられている。上記従来技術では、通電時に磁束が座巻き部に流れてしまうため、プランジャを開弁方向に吸引する吸引力が低下するおそれがあった。
【０００４】
本発明は、上記問題に着目してなされたもので、その目的とするところは、コイルスプリングの座巻き部へ磁束が流れることを抑制することができる電磁弁を提供することである。
【課題を解決するための手段】
【０００５】
上記目的を達成するため、通電時に磁界を形成するコイルと、前記コイルを収納する磁性材料からなるヨークと、前記ヨークの内周側に配置された磁性体であるアーマチュアと、前記アーマチュアに対し所定のギャップを開けて配置され、前記コイルの通電時に前記アーマチュアに吸引される磁性体であるプランジャと、前記アーマチュアと前記プランジャとの間に配置され、前記プランジャを閉弁方向に付勢する磁性体であるコイルスプリングと、を備えた電磁弁において、前記プランジャおよびアーマチュアの前記コイルスプリングの当接部にコイルスプリングの端部が収容される凹部を形成し、前記凹部の深さを前記コイルスプリングの座巻き部より深くした。
【発明の効果】
【０００６】
よって、本発明の電磁弁においては、コイルスプリングの座巻き部に磁束線が流れることを抑制することが可能となる。そのため、アーマチュアとプランジャ間の軸方向の磁束線の流れが多くなり、プランジャの吸引力を高くすることができる。
【発明を実施するための最良の形態】
【０００７】
以下、本発明の電磁弁を実現する最良の形態を、実施例１において説明する。
【実施例１】
【０００８】
［電磁弁の構成］
図１は常閉電磁弁である電磁弁１の断面図であり、図２は電磁弁１のアーマチュア４とプランジャ５の部分の拡大断面図である。
電磁弁１は通電により電磁力を発生するコイル２と、コイル２を収納するヨーク３の内側に配置されたアーマチュア４と、電磁力により駆動するプランジャ５と、中空に形成されたシートバルブ６と、内部にシートバルブ６を収容するバルブボディ７と、プランジャ５とシートバルブ６との間に設けられたボール８から構成されている。
【０００９】
ハウジング９に形成された油路１０の途中に、電磁弁１が挿入される電磁弁挿入部１１が形成されている。この電磁弁挿入部１１にはシール部材１２、ガイド部材１３、シートバルブ６、バルブボディ７が順に挿入され、バルブボディ７がハウジング９によってかしめて固定されている。
シートバルブ６には油路６ａが形成され、この油路６ａはシート面６ｂに形成されたシート穴６ｃと連通されている。
【００１０】
バルブボディ７には、円筒部材１４が固定されている。この円筒部材１３にはアーマチュア４とプランジャ５が挿入されている。アーマチュア４は円筒部材１３に固定され、プランジャ５は軸方向に移動可能に収容されている。また、コイル２への非通電時にはアーマチュア４とプランジャ５との間にギャップ１６を空けて配置されている。アーマチュア４とプランジャ５との間にはコイルスプリング１５が設けられている。コイルスプリング１５は、プランジャ５をシートバルブ６側に付勢してボール８によってシート穴６ｃを塞いでいる。
【００１１】
コイルスプリング１５の大部分は、プランジャ５に形成された凹状のコイルスプリング収容部５ａに収容されている。また、コイルスプリング１５のアーマチュア４側は、アーマチュア４に形成された凹状のコイルスプリング支持部４ａに支持されている。図２は電磁弁１のアーマチュア４付近の部分拡大断面図である。アーマチュア４に形成されたコイルスプリング支持部４ａの深さ、プランジャ５に形成されたコイルスプリング収容部５ａは、コイルスプリング１５の座巻き部１５ａよりも深く形成されている。
【００１２】
［電磁弁の作用］
図３は開弁時に電磁弁１に流れる磁束線を示す図、図４は閉弁時に電磁弁１に流れる磁束線を示す図である。なお、図３、図４では電磁弁１は断面図であるが、磁束線の流れが分かりやすくするためにハッチングを施していない。
コイル２への非通電時には、コイルスプリング１５がプランジャ５をシートバルブ６側に付勢してボール８によってシート穴６ｃを閉鎖する。これにより油路１０を遮断している。
【００１３】
コイル２への通電時には、コイル２で発生した磁力によって磁束線の方向に吸引力が発生する。つまり、コイル２で発生した磁力によって、プランジャ５がアーマチュア４側に吸引される。この吸引力がコイルスプリング１５の付勢力よりも小さい場合には、ボール８によってシート穴６ｃが塞がれる。一方、吸引力がコイルスプリング１５の付勢力よりも大きい場合には、吸引力によってプランジャ５がアーマチュア４側に移動し、ボール８がシート穴６ｃを開放する。
【００１４】
［プランジャの吸引力の低下］
図５、図６はアーマチュア４にコイルスプリング支持部４ａを設けていないときのアーマチュア４とプランジャ５に流れる磁束線を示す図であり、図５は電磁弁１の開弁時、図６は電磁弁１の閉弁時を示す。なお、図５、図６では電磁弁１は断面図であるが、磁束線の流れが分かりやすくするためにハッチングを施していない。
吸引力は磁束線の方向に発生する。よって、プランジャ５に対してアーマチュア４側に吸引力を発生させるためには、アーマチュア４とプランジャ５との間には軸方向に磁束線が流れていることが好ましい。
【００１５】
コイルスプリング１５の座巻き部１５ａは、コイルスプリング１５の座巻き部１５ａ以外の部分である一般部よりも密に巻かれているため磁束線が流れやすく、図５、図６に示すように、アーマチュア４に当接するコイルスプリング１５の座巻き部１５ａに磁束線が流れてしまう。この座巻き部１５ａを流れた磁束線は座巻き部１５ａとプランジャ５との間で径方向に流れるため、プランジャ５に対してアーマチュア４側への吸引力が発生しないため、プランジャ５の吸引力が小さくなることがある。
【００１６】
そこで実施例１では、アーマチュア４のコイルスプリング１５の当接部に、コイルスプリング１５の座巻き部１５ａよりも深いコイルスプリング支持部４ａを形成した。この構成により、電磁弁１が開弁しているときのギャップ１６に一般部が臨むようにした。
【００１７】
［コイルスプリング支持部の作用］
図７、図８はアーマチュア４にコイルスプリング支持部４ａを設けたときのアーマチュア４とプランジャ５に流れる磁束線を示す図であり、図７は電磁弁１の開弁時、図８は電磁弁１の閉弁時を示す。なお、図７、図８では電磁弁１は断面図であるが、磁束線の流れが分かりやすくするためにハッチングを施していない。
【００１８】
図７、図８に示すように磁束線がアーマチュア４のプランジャ５との対向面４ｂに集中するため、コイルスプリング１５の座巻き部１５ａへの磁束線の流れを抑制できる。そのため、軸方向の磁束線の流れが多くなり、プランジャ５の吸引力を高くすることができる。
【００１９】
［実施例１の効果］
実施例１の効果について説明する。
（１）通電時に磁界を形成するコイル２と、コイル２を収納する磁性材料からなるヨーク３と、ヨーク３の内周側に配置された磁性体であるアーマチュア４と、アーマチュア４に対し所定のギャップ１６を開けて配置され、コイル２の通電時にアーマチュア４に吸引される磁性体であるプランジャ５と、アーマチュア４とプランジャ５との間に配置され、プランジャ５を閉弁方向に付勢する磁性体のコイルスプリング１５と、を備えた電磁弁１において、プランジャ５およびアーマチュア４のコイルスプリング１５の当接部にコイルスプリング１５の端部が収容されるコイルスプリング支持部４ａ、コイルスプリング収容部５ａを形成し、コイルスプリング支持部４ａ、コイルスプリング収容部５ａの深さをコイルスプリング１５の座巻き部１５ａより深くした。
【００２０】
よって、コイルスプリング１５の座巻き部１５ａに磁束線が流れることを抑制することが可能となる。そのため、アーマチュア４とプランジャ５間の軸方向の磁束線の流れが多くなり、プランジャ５の吸引力を高くすることができる。
【００２１】
（２）通電時に磁界を形成するコイル２と、コイル２を収納する磁性材料性のヨーク３と、ヨーク３の内周側に配置された磁性体のアーマチュア４と、アーマチュア４に対し所定のギャップ１６を開けて配置し、コイル２の通電時にアーマチュア４に吸引される磁性体のプランジャ５と、アーマチュア４とプランジャ５との間に配置し、プランジャ５を閉弁方向に付勢する磁性体のコイルスプリング１５と、を備えた電磁弁１において、ギャップ１６にはコイルスプリング１５の座巻き部１５ａを除いた一般部のみが臨んでいるようにした。
【００２２】
よって、コイルスプリング１５の座巻き部１５ａに磁束線が流れることを抑制することが可能となる。そのため、アーマチュア４とプランジャ５間の軸方向の磁束線の流れが多くなり、プランジャ５の吸引力を高くすることができる。
【００２３】
［他の実施例］
以上、本願発明を実施するための最良の形態を、実施例１に基づいて説明してきたが、各発明の具体的な構成は各実施例に限定されるものではなく、発明の要旨を逸脱しない範囲の設計変更等があっても、本発明に含まれる。
【００２４】
更に、上記実施例から把握しうる請求項以外の技術的思想について、以下にその効果と共に記載する。
（イ）請求項１または請求項２の電磁弁において、
前記座巻き部は前記コイルスプリングの端部から２または３巻きであることを特徴とする電磁弁。
【００２５】
コイルスプリングの一般部よりも密に巻かれ磁束線が流れやすいコイルスプリングの座巻き部は、２または３巻きの少ない巻き数としたため、コイルスプリングの座巻き部に流れる磁束線の量を抑制することが可能となる。そのため、アーマチュアとプランジャ間の軸方向の磁束線の流れが多くなり、プランジャの吸引力を高くすることができる。
【図面の簡単な説明】
【００２６】
【図１】実施例１の常閉電磁弁である電磁弁の断面図である。
【図２】実施例１の電磁弁のアーマチュアとプランジャの部分の拡大断面図である。
【図３】実施例１の電磁弁に流れる磁束線を示す図である（開弁時）。
【図４】実施例１の電磁弁に流れる磁束線を示す図である（閉弁時）。
【図５】実施例１のアーマチュアにコイルスプリング支持部を設けていないときに電磁弁に流れる磁束線を示す図である（開弁時）。
【図６】実施例１のアーマチュアにコイルスプリング支持部を設けていないときに電磁弁に流れる磁束線を示す図である（閉弁時）。
【図７】実施例１のアーマチュアにコイルスプリング支持部を設けたときに電磁弁に流れる磁束線を示す図である（開弁時）。
【図８】実施例１のアーマチュアにコイルスプリング支持部を設けたときに電磁弁に流れる磁束線を示す図である（閉弁時）。
【符号の説明】
【００２７】
１    電磁弁
２    コイル
３    ヨーク
４    アーマチュア
４ａ    コイルスプリング支持部
５    プランジャ
５ａ    コイルスプリング収容部
１６    ギャップ
【図１】
2008223921.tif 000003
【図２】
2008223921.tif 000004
【図３】
2008223921.tif 000005
【図４】
2008223921.tif 000006
【図５】
2008223921.tif 000007
【図６】
2008223921.tif 000008
【図７】
2008223921.tif 000009
【図８】
2008223921.tif 000010